(57)【特許請求の範囲】
【請求項１】
複数のキースイッチを備えた第１キー操作部と、１つ以上のキースイッチを備えた第２キー操作部と、前記第１及び第２キー操作部の前記キースイッチを、マトリクス状に配列した複数のキー走査線と複数の検出線の交点と対応させて割付け、前記キースイッチの２重押まで検出可能に構成されたキー入力装置において、
前記第１キー操作部のキースイッチは、互いの前記キー走査線および前記検出線が重複しないように割付けられた複数のキーグループに分割され、前記第２キー操作部のキースイッチは、該第２キー操作部専用に設けられた専用キー走査線にその一端が接続され、前記第２キー操作部の少なくとも一部のキースイッチの他端は前記各キーグループに含まれる検出線に接続され、かつ前記第２キー操作部の２つ以上のキースイッチが同一キーグループ内の前記検出線に割付けられないように配置されていることを特徴とするキー入力装置。
【請求項２】
前記第１キー操作部と前記第２キー操作部は、前記第１及び第２キー操作部からのキー押下を検出する形態と、前記第２キー操作部からのキー押下のみを検出する形態に切替え可能に構成されており、前記第１及び第２キー操作部からのキー押下を検出する形態のときには、全ての前記キー走査線をプルアップし、前記第２キー操作部からのキー押下のみを検出する形態のときには前記専用キー走査線のみをプルアップする機能を有していることを特徴とする請求項１に記載のキー入力装置。
【請求項３】
第１の状態においてのみ操作可能な複数のキースイッチを備えた第１キー操作部と、第１および第２の状態において操作可能な１つ以上のキースイッチを備えた第２キー操作部と、前記第１及び第２キー操作部の前記キースイッチをマトリクス状に配列した複数のキー走査線と複数の検出線の交点と対応させて割付け、前記キースイッチの２重押まで検出可能に構成されたキー入力装置と、前記第１の状態と前記第２の状態を検出する状態検出手段と、該状態検出手段の検出結果に応じて前記キー入力装置の動作を制御する制御手段を具備した携帯端末において、
前記キー入力装置は、前記第１キー操作部のキースイッチが、互いの前記キー走査線および前記検出線が重複しないように割付けられた複数のキーグループに分割され、前記第２キー操作部のキースイッチが、該第２キー操作部専用に設けられた専用キー走査線にその一端が接続され、前記第２キー操作部の少なくとも一部のキースイッチの他端は前記各キーグループに含まれる検出線に接続され、かつ前記第２キー操作部の２つ以上のキースイッチが同一キーグループ内の前記検出線に割付けられないように配置されていることを特徴とする携帯端末。
【請求項４】
前記携帯端末は、表示部が設けられた第１の筐体と前記第１キー操作部が設けられた第２の筐体とをヒンジ機構により開いた状態と閉じた状態に切替えて使用可能に構成され、前記第１キー操作部は閉じた状態のとき前記表示部と対向する位置に配置され、前記第２キー操作部は前記第１または第２筐体の側面に配置されるとともに、前記状態検出手段は、前記開いた状態を前記第１の状態として出力し、前記閉じた状態を前記第２の状態として出力する開閉検出手段によって構成されていることを特徴とする請求項３に記載の携帯端末。
【請求項５】
前記携帯端末は、表示部が設けられた第１の筐体と前記第１キー操作部が設けられた第２の筐体とをスライド機構により引き伸ばした状態と重ねた状態に切替えて使用可能に構成され、前記第１キー操作部は重ねた状態のとき前記第１の筐体裏面と対向する位置に配置され、前記第２キー操作部は前記第１または第２筐体の側面に配置されるとともに、前記状態検出手段は、前記引き伸ばした状態を前記第１の状態として出力し、前記重ねた状態を前記第２の状態として出力するスライド状態検出手段によって構成されていることを特徴とする請求項３に記載の携帯端末。
【発明の詳細な説明】
【技術分野】
【０００１】
本発明は、操作キーに対応して設けられたキースイッチをスキャンして、操作されたキーを検出可能に構成されたキー入力装置に関し、特に折り畳み構造等を持つ携帯端末に好適なキー入力装置に関する。
【背景技術】
【０００２】
携帯電話機などの小型電子機器では、ダイヤル番号やその他の情報を入力する操作キーのキー操作検出手段として、複数のキーに対応したキースイッチをマトリクス状に配列するとともに、回路の信号本数を最小限に抑えた低コストの検出回路構成が使用されている。また、端末の小型化を実現するために少ないキー構成でさまざまな動作に対応するために２つのキーの同時押し（２重押）や３重、４重などの多重の同時押しを検出する回路が提案されている（特許文献１〜３参照）。
【０００３】
多重押しを検出する方法としては、特許文献１に示されるダイオードを追加する方法などがあるがダイオードを使用しない場合には２重押しまでは検出できるものの、３重押しが検出できない（特許文献２参照）。３重押しに対応する場合には、これはダイオードを追加する必要があるため、回路規模が大きくなり、小型化や低コスト化には向かないため、低コスト実現のため、キー検出回路を２つのブロックに分けることにより合計４重押しに対応する方法が提案されている（例えば特許文献２〜３参照）。
【０００４】
後者の方式の場合には、ユーザの使用方法として誤操作により１つのブロックで３重以上のキーが押される場合があるが、その場合には、該当するキーがないためにキー押下を無視する動作が行われている。
【０００５】
図５は、このような携帯端末における従来の操作キー検出装置の回路構成を示す要部ブロック図であり、携帯端末５０は、ＣＰＵ（中央処理装置）５２を搭載しており、ＣＰＵ５２は制御信号を介して装置内の各部と接続されているが、図では、キーマトリクス部５１と表示部５３との接続のみを示している。
【０００６】
図６は、従来のキーマトリクス部５１の割付例を示しており、多重押しを実現するために、キー「１」、キー「２」などのキースイッチグループと、キー「↑」、キー「→」などのキースイッチグループに分けられ、例えばキー「↑」とキー「→」とキー「１」の同時押しの検出を実現している。また、この携帯端末の側面に設けられて携帯端末が閉じた（折り畳まれた）状態でも使用可能なサイドキー「ＳＫ１〜ＳＫ３」も同一のキーマトリクス部５１上に割付けることによって最小限のキー走査線と検出線からなる回路構成となっている。
【０００７】
この回路構成では、各キースイッチグループの中で任意の２個のキースイッチの同時押下、合計４個のキースイッチの同時押下を認識することができるが、各ブロック内で３個以上のキースイッチが同時押下された場合には、操作キーの検出は無効にされる。
【０００８】
【特許文献１】特開平６−０３５５９１号公報
【特許文献２】特開２００４−０７８６８８号公報
【特許文献３】特開２００６−００４０５２号公報
【発明の開示】
【発明が解決しようとする課題】
【０００９】
近年、携帯電話等の携帯端末には、薄型化小型化のために、折り畳み型などのタイプの端末では折り畳まれた状態のときのキー操作部と液晶表示部の隙間を限界まで削っているため、空間の余裕が減ってきている。また、液晶表示は大型化高画質化が進み、キー操作部は従来よりも操作性を犠牲にして薄型化を実現しているものがある。
【００１０】
そのため、使用者は大画面の液晶を保護するために保護シートを使用したり、また、キーの突起が少ないため使用者側でキーの操作をし易くするためにシールを貼って使用するケースが増えている。一方、キー部と液晶表示部の隙間が減っているために、このようなケースの場合、端末を閉じた（折り畳んだ）状態としたときに液晶表示面の保護シートとキーに貼られたシールが当接してシールを押すことで、使用者の誤操作による多重キー押しではなく、使用者が何も押していないにもかかわらず、複数のキーが押された状態になってしまうことがある。
【００１１】
しかしながら、従来のキー検出・キーマトリクス機能を備えたキー入力装置では、そのような状態は想定されておらず、使用者が間違えて隣接するキーを押した場合のみを想定していたため、次のような問題が生じている。
【００１２】
持ち運びを便利にするために折り畳みなどの構造を持つ携帯端末では、閉じた（例えば折り畳んだ）状態でも、端末の側面に設けられているサイドキー「ＳＫ１〜ＳＫ３」により所定の機能を実行できるが、図５〜図６に示されている割付例のキーマトリクス回路５１では、この携帯端末が閉じられた状態のとき、サイドキー「ＳＫ１〜ＳＫ３」が割付けられているキースイッチグループの、サイドキー「ＳＫ１〜ＳＫ３」を除く、キー「↑」、キー「→」等のキーが押されっぱなしの状態となってしまうために、サイドキーを押下しても、多重押しと判断されてサイドキー「ＳＫ１〜ＳＫ３」による操作が不可能となる状態が発生していた。
【００１３】
このような問題を回避するために、ダイオードを追加して単純な多重押しを検出する構成にした場合には、回路規模が大きくなるため、小型化、低コスト化の要求を満たすことができない。
【００１４】
また、このような問題を回避する方法として、図７に示すように、サイドキー「ＳＫ１〜ＳＫ３」部分を新たなキースイッチグループとして割り付けることにより、液晶表示面の保護シートと当接しているキースイッチグループのキーが押されっぱなしの状態となっても、携帯端末が閉じられている状態のときにサイドキー「ＳＫ１〜ＳＫ３」が接続されているキー走査線および検出線以外のキー走査線および検出線の動作を無視することによって、サイドキー「ＳＫ１〜ＳＫ３」によるキー操作を検出可能にすることはできる。
【００１５】
しかしこの構成では、例えばサイドキーを３個備えている場合、図６に示すキーマトリクス回路と比較して、キー走査線が２本追加され検出ラインが１本追加されて、合計３本追加となるため、その分回路規模が大きくなり小型化実現には不利であるという問題があった。
【００１６】
本発明の目的は、上記問題点に鑑み、このような携帯端末におけるキー入力装置の上記問題点を解消して、携帯端末の操作性と小型化を両立可能にする手段を提供することにある。
【課題を解決するための手段】
【００１７】
本発明は、複数のキースイッチを備えた第１キー操作部と、１つ以上のキースイッチを備えた第２キー操作部と、前記第１及び第２キー操作部の前記キースイッチを、マトリクス状に配列した複数のキー走査線と複数の検出線の交点と対応させて割付け、前記キースイッチの２重押まで検出可能に構成されたキー入力装置において、前記第１キー操作部のキースイッチは、互いの前記キー走査線および前記検出線が重複しないように割付けられた複数のキーグループに分割され、前記第２キー操作部のキースイッチは、該第２キー操作部専用に設けられた専用キー走査線にその一端が接続され、前記第２キー操作部の少なくとも一部のキースイッチの他端は前記各キーグループに含まれる検出線に接続され、かつ前記第２キー操作部の２つ以上のキースイッチが同一キーグループ内の前記検出線に割付けられないように配置されていることを特徴とする。
【発明の効果】
【００１８】
本発明のキー入力装置によれば、第２キー操作部のキースイッチを、該第２キー操作部専用に設けられた専用キー走査線にその一端が接続され、前記第２キー操作部の少なくとも一部のキースイッチの他端を前記各キーグループに含まれる検出線に接続するとともに、前記第２キー操作部内の２つ以上のキースイッチの他端が同一キーグループ内の前記検出線に割付けられないように配置されているので、このキー入力装置を、例えば、開いた状態で第１及び第２のキー操作部が操作可能で、閉じた状態で第２のキー操作部が操作可能な携帯端末のキー操作検出装置として用いた場合、閉じた状態で不用意に第１キー操作部の多数のキーが同時に操作されることによる検出誤りの防止を、低コストかつ小型化を図りつつ実現することが出来る。
【発明を実施するための最良の形態】
【００１９】
図１は、本発明の実施形態に係る携帯端末の要部構成を示すブロック図である。
【００２０】
本実施例の携帯端末１０は、ＣＰＵ（中央処理装置）１２を搭載しており、ＣＰＵ１２は制御信号を介して装置内の各部と接続されている。開閉検出部１３は、携帯端末がキーマトリクス部１１のキーの一部が折り畳まれるなどして操作できなくなる状態になったことを検出するための回路である。
【００２１】
本実施例では、開閉検出部１３は、折り畳み式の携帯端末において表示部１４とキーマトリクス部１１のキーの一部が互いに向き合うように閉じられることにより、表示部１４と向き合わされたキーマトリクス部１１のキー部分が使用できない状態になることを検出し、検出信号をＣＰＵ１２へ出力している。表示部１４は、図示しない装置本体の前面に配置されており、カラーの液晶パネル等の表示装置である。
【００２２】
図２は、キーマトリクスを構成するキーＳＷ回路に対応する本実施形態に係るキーの割り付けの一例を示す図である。
【００２３】
図２においても、多重押しを実現するために、キー「１」、キー「２」などのキーのグループと、キー「↑」、キー「→」などのキーのグループに分け、例えばキー「↑」とキー「→」とキー「１」の同時押しの検出を実現している。また、キー「Ｓ１〜Ｓ６」はそれぞれソフトキーを指し、携帯端末１０にて実行されるアプリケーションに応じて機能が変わる。キー「ＳＫ１〜ＳＫ３」は、携帯端末の形状（開いた状態または閉じた状態）が変化しても常に使用可能なキーを指し、本実施例では折り畳み状態でも使用できるように携帯端末の側面に設けられている。以降このキー「ＳＫ１〜ＳＫ３」をサイドキーと呼ぶ。
【００２４】
図３は、本実施形態における押下キーの検出動作を示すフローチャートである。また、図４は、本実施形態において折り畳んだ状態にて多数のキーが押下された状態のときに操作されたサイドキー「ＳＫ１〜ＳＫ３」を検出する動作を説明する図である。次に本実施形態における押下キーの検出処理の様子について、図１〜図４を参照して説明する。
【００２５】
携帯端末１０のＣＰＵ１２は、キー入力待ち受け状態時において、開閉検出部１３で検出された携帯端末の折り畳みの状態に応じて（ステップＳ２０１）、検出するキー走査線を変化させる（プルアップ状態とする）ことにより、検出するキーのみ割り込み発生が検出できるように設定する（Ｓ２０２，Ｓ２０８）制御を行う。
【００２６】
従って、携帯端末１０のＣＰＵ１２は、キー入力待ち受け状態時において、開閉検出部１３から携帯端末１が開いた状態であることを示す信号が入力されているとき（Ｓ２０１，ＮＯ）には、キーマトリクス回路１１のキー走査線１〜８の全てをプルアップ状態（Ｓ２０８）にして、キーマトリクス１１上の全てのキースイッチからのキー割り込みの発生を監視する（Ｓ２０９）。
【００２７】
キー割り込みが発生すると（Ｓ２０９,ＹＥＳ）、キー走査線（１〜８）を１本ずつ順にＬｏ出力してＬｏとなる信号線を検出するためのキー検出動作を実施して、キーマトリクス上のどのキーが押下されているかを判定する（Ｓ２１０）。次に、押されたキーが多重押しかどうかを判断して（Ｓ２１１）、単体のキー押下（Ｓ２１１，ＮＯ）の場合には、該押されたキーに応じた処理を実行する（Ｓ２０７）。
【００２８】
キーが多重押しされた（Ｓ２１１，ＹＥＳ）場合には、該多重押しが割り当てられた多重押しか否かを判定し（Ｓ２１２）、割り当てられた多重押し（Ｓ２１２，ＹＥＳ）の場合には、該多重押しされたキーに応じた処理を実行する（Ｓ２０７）。多重押しされたキーが割り当てられた多重押しではない（Ｓ２１２，ＮＯ）の場合には、使用者が誤操作したものとして、キー押下を無効と判断する（Ｓ２１３）。
【００２９】
一方、キー入力待ち受け状態時において、開閉検出部１３から携帯端末１０が閉じられた状態であることを示す信号が入力されているとき（Ｓ２０１，ＹＥＳ）には、携帯端末１０のＣＰＵ１２は、キーマトリクス回路１１のキー走査線５のみをプルアップ状態（Ｓ２０２）にして、キー走査線５に接続されているキースイッチ「ＳＫ１〜ＳＫ３」からのキー割り込み発生のみを監視する（Ｓ２０３）。
【００３０】
キー割り込みが発生すると（Ｓ２０３,ＹＥＳ）、キー走査線５のみＬｏ出力を行ってＬｏとなる信号線を検出するためのキー検出動作を実施して、キーマトリクス上のどのキーが押下されているかを判定する（Ｓ２０４）。この場合、キー走査線５には、サイドキー「ＳＫ１〜ＳＫ３」が検出線１、３、４との交点にそれぞれ割付けられていることが予め分かっているので、検出線１、３、４との交点以外のキー押下位置は無視する（Ｓ２０５）。
【００３１】
次に、押されたキーが多重押しかどうかを判断して（Ｓ２０６）、単体のキー押下（Ｓ２０６，ＮＯ）の場合には、該押されたキーに応じた処理を実行する（Ｓ２０７）。キーが多重押しされた（Ｓ２０６，ＹＥＳ）場合には、該多重押しが割り当てられた多重押しか否かを判定し（Ｓ２１２）、割り当てられた多重押し（Ｓ２１２，ＹＥＳ）の場合には、該押されたキーに応じた処理を実行する（Ｓ２０７）。割り当てられた多重押しではない（Ｓ２１２，ＮＯ）の場合には、使用者が誤操作したものとして、キー押下を無効と判断する（Ｓ２１３）。
【００３２】
従って、本実施形態によれば、携帯端末１０が折り畳み状態（Ｓ２０１，ＹＥＳ）でキー表面にシールなどが貼り付けられることにより閉じた際にサイドキー「ＳＫ１〜ＳＫ３」以外の全てのキーが押された状態になったとしても、サイドキー「ＳＫ１〜ＳＫ３」が接続されているキー走査線５以外のキー走査線はプルアップ状態とされないので、キー割り込みは発生せず、サイドキー「ＳＫ１〜ＳＫ３」が押されたときだけキー割り込みが発生して（ステップＳ２０５）、キー走査線５に接続されたサイドキー「ＳＫ１〜ＳＫ３」のいずれが押されたかを検出することが可能となる。
【００３３】
図４は、使用者が携帯端末１０のキーマトリクス部１１にキー部の凸を出すためのシールを貼り付けて使用した、あるいは液晶画面に液晶保護用のシートを貼り付けて使用したために、該端末を折り畳んだときサイドキー「ＳＫ１〜ＳＫ３」以外の全てのキースイッチが押下された状態となり、この状態において、サイドキー「ＳＫ１」が押されたときに、ＣＰＵ１１による押下キー検出動作（Ｓ２０１〜Ｓ２０４）時の検出線への検出信号出力状態を示している。
【００３４】
この場合、開閉検出部１３から携帯端末１０が閉じられた状態であることを示す信号が入力されているので、携帯端末１０のＣＰＵ１２は、キーマトリクス回路１１のキー走査線５のみをプルアップ状態にして、キー走査線５に接続されているキースイッチ「ＳＫ１〜ＳＫ３」からのキー割り込み発生を監視しており、サイドキー「ＳＫ１」が押下されると、キー割り込みを発生して、キー走査線５のみＬｏ出力を行ってＬｏとなる信号線の検出を行うが、この場合信号線１と２の両方に検出信号が発生するが、信号線２にはサイドキーは接続されていないので、信号線２の検出信号は無視する。
【００３５】
同様に、サイドキー「ＳＫ３」が押下された場合には、信号線４〜８に検出信号が発生するが、信号線５〜８にはサイドキーは接続されていないので、信号線５〜８の検出信号は無視する。
【００３６】
このように、本実施形態の場合、携帯端末１０が閉じられた状態のときの検出動作では、サイドキーが割り付けられていない検出ラインのキーも押されているように見えるが、各キーグループ内の検出ラインには１つのサイドキーしか割り当てられていないので、サイドキーが割り付けられていない検出ライン（検出線２、５〜８）は無視することができ、また、サイドキー「ＳＫ１〜ＳＫ３」が接続されている検出線１、３、４からの信号はそれぞれ独立に検出することができる。
【００３７】
本実施形態によれば、例えばサイドキーを３個備えている場合、図７に示すキー割り付け例と比較して、キー走査線を１本減らし、検出ラインを１本減らすことが出来るので、その分キーマトリクス部を小型化して回路規模を小さくすることができ、かつ図７に示すキー割り付け例の場合と同様の機能及び効果を達成することが出来る。
【００３８】
なお、上記実施形態では折り畳み式の携帯端末を例として説明したが、本発明は、畳み式の携帯端末に限らず、例えばスライドタイプの携帯端末等、携帯端末を異なる形状で使用する場合に、同様の問題が発生する可能性のある携帯端末に対して適用することができる。その場合、例えばスライドタイプの携帯端末のときには、形状の変更を検出する手段として開閉検出部の代わりにスライド検出部を用いることができる。
【００３９】
以上説明したように、本発明のキー入力装置は、複数のキースイッチを備えた第１キー操作部と、１つ以上のキースイッチを備えた第２キー操作部と、前記第１及び第２キー操作部の前記キースイッチを、マトリクス状に配列した複数のキー走査線と複数の検出線の交点と対応させて割付け、前記キースイッチの２重押まで検出可能に構成されたキー入力装置であって、前記第１キー操作部のキースイッチは、互いの前記キー走査線および前記検出線が重複しないように割付けられた複数のキーグループに分割され、前記第２キー操作部のキースイッチは、該第２キー操作部専用に設けられた専用キー走査線にその一端が接続され、前記第２キー操作部の少なくとも一部のキースイッチの他端は前記各キーグループに含まれる検出線に接続され、かつ前記第２キー操作部の２つ以上のキースイッチが同一キーグループ内の前記検出線に割付けられないように配置することにより、例えば、開いた状態で第１及び第２のキー操作部が操作可能で、閉じた状態で第２のキー操作部が操作可能な携帯端末のキー操作検出装置として用いた場合、閉じた状態で不用意に第１キー操作部の多数のキーが同時に操作されることによる検出誤りの防止を、低コストかつ小型化を図りつつ実現することが出来る。
【００４０】
その際、前記第１キー操作部と前記第２キー操作部を、前記第１及び第２キー操作部からのキー押下を検出する形態と、前記第２キー操作部からのキー押下のみを検出する形態に切替え可能に構成し、前記第１及び第２キー操作部からのキー押下を検出する形態のときには、全ての前記キー走査線をプルアップし、前記第２キー操作部からのキー押下のみを検出する形態のときには前記専用キー走査線のみをプルアップすることにより、２つの携帯の切り替えができる。
【００４１】
また本発明のキー入力装置は、特に携帯端末に適用して好適であり、その場合の携帯端末の構成は、第１の状態においてのみ操作可能な複数のキースイッチを備えた第１キー操作部と、第１および第２の状態において操作可能な１つ以上のキースイッチを備えた第２キー操作部と、前記第１及び第２キー操作部の前記キースイッチをマトリクス状に配列した複数のキー走査線と複数の検出線の交点と対応させて割付け、前記キースイッチの２重押まで検出可能に構成されたキー入力装置と、前記第１の状態と前記第２の状態を検出する状態検出手段と、該状態検出手段の検出結果に応じて前記キー入力装置の動作を制御する制御手段を具備し、前記キー入力装置は、前記第１キー操作部のキースイッチが、互いの前記キー走査線および前記検出線が重複しないように割付けられた複数のキーグループに分割され、前記第２キー操作部のキースイッチが、該第２キー操作部専用に設けられた専用キー走査線にその一端が接続され、前記第２キー操作部の少なくとも一部のキースイッチの他端は前記各キーグループに含まれる検出線に接続され、かつ前記第２キー操作部の２つ以上のキースイッチが同一キーグループ内の前記検出線に割付けられないように配置される。
【００４２】
その際、前記携帯端末は、表示部が設けられた第１の筐体と前記第１キー操作部が設けられた第２の筐体とをヒンジ機構により開いた状態と閉じた状態に切替えて使用可能に構成され、前記第１キー操作部は閉じた状態のとき前記表示部と対向する位置に配置され、前記第２キー操作部は前記第１または第２筐体の側面に配置されるとともに、前記状態検出手段は、前記開いた状態を前記第１の状態として出力し、前記閉じた状態を前記第２の状態として出力する開閉検出手段によって構成することができる。
【００４３】
あるいは、前記携帯端末は、表示部が設けられた第１の筐体と前記第１キー操作部が設けられた第２の筐体とをスライド機構により引き伸ばした状態と重ねた状態に切替えて使用可能に構成され、前記第１キー操作部は重ねた状態のとき前記第１の筐体裏面と対向する位置に配置され、前記第２キー操作部は前記第１または第２筐体の側面に配置されるとともに、前記状態検出手段は、前記引き伸ばした状態を前記第１の状態として出力し、前記重ねた状態を前記第２の状態として出力するスライド状態検出手段によって構成することができる。
【図面の簡単な説明】
【００４４】
【図１】本発明の実施形態に係わる携帯端末の要部を示すブロック図である。
【図２】キーマトリクスを構成するキーＳＷ回路に対応する本実施形態に係るキーの割り付けの一例を示す図である。
【図３】本実施形態における押下キーの検出動作を示すフローチャートである。
【図４】本実施形態におけるキーマトリクス回路の動作例を示す図である。
【図５】従来の携帯端末の要部を示すブロック図である。
【図６】キーマトリクスを構成するキーＳＷ回路に対応する従来のキーの割り付けの一例を示す図である。
【図７】キーマトリクスを構成するキーＳＷ回路に対応する従来のキーの割り付けの一例を示す図である。
【符号の説明】
【００４５】
１０，５０  携帯端末
１１，５１  キーマトリクス回路
１２，５２  ＣＰＵ
１３  開閉検出部
１４，５３  表示部
【図１】
0004862790.tif 000002
【図２】
0004862790.tif 000003
【図３】
0004862790.tif 000004
【図４】
0004862790.tif 000005
【図５】
0004862790.tif 000006
【図６】
0004862790.tif 000007
【図７】
0004862790.tif 000008